(57)【要約】【課題】ディスプレイ付ＩＣカードの保護およびディスプレイ付ＩＣカードへの電力供給を可能にしたケースを提供する。【解決手段】ディスプレイを有するＩＣカードのためのケースであって、収納したＩＣカードのディスプレイ部分が視認可能な樹脂シートとシート型の電池とを、ＩＣカードの厚さ以上の隙間を形成するためのスペーサを介して貼り合わせてなり、前記電池からの電力をＩＣカードに供給するために、ＩＣカードの端子に接続される接続端子を有する。また、前記電池が２次電池であり、前記電池を充電するための端子をさらに有する。【選択図】図１
2010277346.tif 000002
【特許請求の範囲】
【請求項１】
ディスプレイを有するＩＣカードのためのケースであって、
収納したＩＣカードのディスプレイ部分が視認可能な樹脂シートとシート型の電池とを、ＩＣカードの厚さ以上の隙間を形成するためのスペーサを介して貼り合わせてなり、
前記電池からの電力をＩＣカードに供給するために、ＩＣカードの端子に接続される接続端子を有する、
ことを特徴とするケース。
【請求項２】
前記樹脂シートが透明であることを特徴とする請求項１に記載のケース。
【請求項３】
ＩＣカードのディスプレイ部分に対応する樹脂シートに開口部を設けたことを特徴とする請求項１または２に記載のケース。
【請求項４】
前記電池が２次電池であり、
前記電池を充電するための端子をさらに有することを特徴とする請求項１〜３のいずれかに記載のケース。
【発明の詳細な説明】
【技術分野】
【０００１】
本発明は、ディスプレイ付ＩＣカードを保護するとともにＩＣカードに電力を供給するためのケースに関するものである。
【背景技術】
【０００２】
従来、Ｓｕｉｃａ（登録商標）やＰＡＳＭＯ（登録商標）などの非接触ＩＣカード用のケースとして、様々なものが開発され、２枚の非接触ＩＣカードを１つのケースに入れてケースの裏、表でそれぞれに対応したＩＣカードリーダ・ライタにタッチして使用できるＩＣカード用ケース等が提案されている。
【０００３】
また、近年、ディスプレイを搭載した接触型および非接触型のＩＣカードが開発され、例えば、特許文献１には、必要に応じてＩＣカード内の情報を表示することができるディスプレイを有するＩＣカードが提案されている。なお、このＩＣカードに搭載されたディスプレイは柔軟性を有しており、ＩＣカードが多少折り曲げられた場合でも損傷しない耐久性を有している。
【先行技術文献】
【特許文献】
【０００４】
【特許文献１】特開２００３−２７１９１１号公報
【発明の概要】
【発明が解決しようとする課題】
【０００５】
ＩＣカードに搭載されたディスプレイは、たとえ柔軟性を有していても、高い圧力を与えられた場合などに十分な耐久性を有しているとはいえず、ディスプレイを保護するためにケースに入れて使用されることが通常である。しかし、従来のケースは、携帯用に薄型に作製された場合、ディスプレイを十分に保護できるとはいえないものであり、ＩＣカードを収納したケースを財布等に入れると、ディスプレイが損傷するおそれがあった。
また、非接触型のＩＣカードは、通常、サイズの制約から電池を搭載しないパッシブ型が多く普及しており、接触型のＩＣカードの場合はデータのリーダ・ライタ（読み書き機）と接続して情報の書き換えをするので電池を搭載していなかった。しかし、ディスプレイ付ＩＣカードの場合は、接触式あるいは非接触式いずれであっても、ディスプレイに表示される情報を切り替えるために、電池を搭載することが求められている。
【０００６】
そこで、本発明の目的は、上述した問題点を解消して、ディスプレイ付ＩＣカードの保護およびディスプレイ付ＩＣカードへの電力供給を可能にしたケースを提供することにある。
【課題を解決するための手段】
【０００７】
本発明のディスプレイ付ＩＣカード用ケースは、収納したＩＣカードのディスプレイ部分が視認可能な樹脂シートとシート型の電池とを、ＩＣカードの厚さ以上の隙間を形成するためのスペーサを介して貼り合わせてなり、前記電池からの電力をＩＣカードに供給するために、ＩＣカードの端子に接続される接続端子を有することを特徴とするものである。
【０００８】
また、本発明のディスプレイ付ＩＣカード用ケースは、前記樹脂シートが透明であること、ＩＣカードのディスプレイ部分に対応する樹脂シートに開口部を設けたこと、前記電池が２次電池であり、前記電池を充電するための端子をさらに有することが好適である。
【発明の効果】
【０００９】
本発明によれば、ディスプレイ付ＩＣカードの保護およびディスプレイ付ＩＣカードへの電力供給を可能にしたケースを提供することができる。
【図面の簡単な説明】
【００１０】
【図１】（ａ）は本発明のディスプレイ付ＩＣカード用ケースの一実施例を示す斜視図であり、（ｂ）はＩＣカードを収納した状態の図１（ａ）のＡ−Ａにおける断面図である。
【図２】（ａ）は本発明のディスプレイ付ＩＣカード用ケースの好適実施例を示す斜視図であり、（ｂ）はＩＣカードを収納した状態の図１（ａ）のＢ−Ｂにおける断面図である。
【図３】（ａ）、（ｂ）はそれぞれ本発明のケースに収納されるＩＣカードに搭載されるディスプレイの一例の構成を説明するための図である。
【図４】（ａ）、（ｂ）はそれぞれ本発明のケースに収納されるＩＣカードに搭載されるディスプレイの一例の他の構成を説明するための図である。
【発明を実施するための形態】
【００１１】
図１（ａ）は、本発明のディスプレイを有するＩＣカードのためのケースの一実施例を示す斜視図であり、図１（ｂ）は、ＩＣカードを収納した状態の図１（ａ）のＡ−Ａにおける断面図である。図２（ａ）は、本発明のケースの好適実施例を示す斜視図であり、図２（ｂ）は、ＩＣカードを収納した状態の図２（ａ）のＢ−Ｂにおける断面図である。
ケース１１は、表面側の樹脂シート１２と、背面側のシート型の電池１３と、樹脂シート１２と電池１３とを接続しＩＣカード２０を挿入するための空間を形成するスペーサ１４と、接続端子１５と、を有する。ケース１１の小型化を達成するために、表面側の樹脂シート１２および背面側の電池１３ともに厚さ０．５ｍｍ以下であることが好ましい。なお、ＩＣカードのサイズは、ＩＳＯ１４４４３（ＪＩＳ  Ｘ−６３０１）により、縦５４ｍｍ×横８６ｍｍ×厚さ０．７６ｍｍと規定されているので、本発明のケース１１は、このサイズのＩＣカード２０を収納できる内部空間を有する。表面側の樹脂シート１２と背面側の電池１３とを貼り合わせる際に、接着剤またはヒートシール法により樹脂シート１２と電池１３の３辺を接合してスペーサ１４を作製することもでき、このスペーサ１４の厚さは１ｍｍ以下とすることが好ましい。このケース１１は小型であるので、ＩＣカード２０を収納した状態で財布等に入れることができる。
表面側の樹脂シート１２には、少なくともＩＣカードのディスプレイの位置に対応する領域に透明部分１２Ｔを設け、この透明部分１２Ｔを通して収納したＩＣカードのディスプレイ部分が視認できる。透明部分１２Ｔ以外の領域面は非透明でよく、固定情報を印刷等で配置してもよい。
図１（ｂ）に示すように、ＩＣカード２０をケース１１に挿入すると、ＩＣカード２０の端子２１と電池１３上に設けられた接続端子１５とが接続され、電池１３からの電力をＩＣカード２０に供給することができる。
【００１２】
さらに、図２に示すように、表面側の樹脂シート１２に操作ボタン１６を設け、この操作ボタン１６が押されることでＩＣカード２０上の操作ボタン２３を押すような機構として、操作ボタン１６によってディスプレイ２２の書き換えを行う構成とすることもできる。あるいは、操作ボタン１６の代わりに樹脂シート１２に穴を設け、この穴を介して直接ＩＣカード２０上の操作ボタン２３を押す構成とすることもできる。
ディスプレイ２２の書き換えの例としては、ディスプレイ２２に表示させた情報を消去する、ディスプレイ２２に表示させた情報を消去した後に次の情報を表示させる、ディスプレイ２２に表示させた情報を消去した後にベタ画面を表示させる等が挙げられ、用途に応じて適宜設計することができる。なお、操作ボタン１６の位置および機構は図示例に限定されることはない。
上述した書き換え操作は、ケース１１の電池１３から電力の供給を受けて行うことができる。従来のＩＣカードは大容量の電池を搭載することはサイズの規制から困難であった。しかし本発明のケース１１には従来と比較して大容量の電池１３を搭載することができ、ディスプレイ２２の情報の書き換えを頻繁に行っても十分な電力供給が可能なため、電池１３の容量不足を意識する必要がなくなった。
また、図示例のように、電池１３が２次電池であり、この電池１３を充電するための端子１７をケース１１に設けることが好ましいが、用途に応じて電池１３を一次電池とすることもできる。
【００１３】
パッシブ型のＩＣカード２０の場合、ＩＣカード２０をＩＣカードリーダ・ライタに近づけたときに、ＩＣカードリーダ・ライタから電力が供給されてディスプレイ２２の書き換えが行われ、本発明のケース１１に収納したときに、ケース１１の電池１３から電力が供給される構成とすることができる。例えば、Ｓｕｉｃａ（登録商標）のようなＩＣカードにディスプレイが搭載された場合を想定すると、ＩＣカード２０を自動改札機（ＩＣカードリーダ・ライタ）に近づけたときには、ＩＣカードリーダ・ライタからの電力によってディスプレイ２２に残高が表示され、本発明のケース１１に収納したときには、ケース１１の電池１３からの電力によって、任意の情報を表示させることができる。
従来、表示メモリ性のあるディスプレイ２２を搭載したＩＣカードでは、一度表示させた情報は、ＩＣカードリーダ・ライタによって書き換えられるまで表示されたままであり、他人に視認されると不都合な場合もあったが、本発明のケース１１を用いることにより、ディスプレイ２２に表示された情報を確認した後、必要に応じて消去・書き換えを行うことが可能となる。
【００１４】
また、本発明のケース１１に収納されるＩＣカード２０としては、ディスプレイ２２を切り替えることにより、金融系、住基ネット、通門証などを組み合わせた多機能を有するものとすることもできる。
【００１５】
表面側の樹脂シート１２の全体を透明とすると、ＩＣカード２０をケース１１に収納した状態で、ディスプレイ２２に表示されている情報を視認することができるとともに、透明部分２２Ｔを設ける場合と比較して樹脂シート１２の製造が容易であるので好ましい。
透明な樹脂シート１２は、硬いものとするとディスプレイ２２を外力から保護することができ、柔軟性のあるものとすると、折り曲げたときに破損しないので、用途に応じて適宜選択することが好ましい。透明な樹脂シート１２の例としては、アクリル樹脂、ポリエチレンテレフタレート樹脂（ＰＥＴ）、塩化ビニール樹脂、スチレン樹脂、ポリカーボネート樹脂、ポリエチレンナフタレート（ＰＥＮ）、ポリエーテルサルフォン（ＰＥＳ）およびそれらの共重合体樹脂などである。
あるいは、表面側の樹脂シート１２にディスプレイ２２のための開口部を設け、この開口部を通してディスプレイ２２を視認することもできるが、ディスプレイ２２を保護する観点からは、ディスプレイ２２を表面側の透明な樹脂シート１２で覆う構成の方が好ましい。
図１および図２のように、ＩＣカード２０を取り出しやすいように、表面側の樹脂シート１２にスリットを設けることが好ましい。ＩＣカード２０が非接触型の場合、ケース１１に収納したまま用いられるが、ＩＣカード２０が接触型の場合、このスリットによって、ＩＣカード２０を容易に取り出すことができる。
【００１６】
次に、本発明のケースに挿入して用いられるＩＣカードに搭載されるディスプレイの一例としては、コレステリック液晶方式、電気泳動方式、エレクトロルミネッセンス方式などのいわゆる電子ペーパーディスプレイを好適に使用することができる。更に好適な例として、帯電した粉体を用いる情報表示用パネルがある。この情報表示用パネルは、衝撃を与えると、内部の表示媒体用粒子が移動して表示品質に不具合が出るおそれがあるので、本発明のケースによって保護することが有効である。万一、カードを取り出した時点で落下したり、必要以上の衝撃が与えられ、表示が不鮮明になった場合も、ＩＣカードをケースに戻すことで再び表示を回復することができる。
この情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１７】
さらに、ＩＣカード用のディスプレイに適用できる情報表示用パネルの例を、図３（ａ）、（ｂ）〜図４（ａ）、（ｂ）に基づき説明する。
図３（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けたストライプ電極６と基板１に設けたストライプ電極５とが対向直交交差して形成する画素電極対に電圧を印加することにより発生する電界に応じて、基板１、２と垂直に移動させるパッシブ駆動方式の構成としている。そして、図３（ａ）に示すように白色表示媒体３Ｗを観察者に視認させて白色表示を、あるいは、図３（ｂ）に示すように黒色表示媒体３Ｂを観察者に視認させて黒色表示を、白黒のドットでマトリックス表示している。なお、図３（ａ）、（ｂ）において、手前にある隔壁は省略している。
【００１８】
図４（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた電極６（共通電極）とが対向して形成する画素電極対に電圧を印加することにより発生する電界に応じて、基板１、２と垂直に移動させるアクティブ駆動方式の構成としている。そして、図４（ａ）に示すように白色表示媒体３Ｗを観察者に視認させて白色表示を、あるいは、図４（ｂ）に示すように黒色表示媒体３Ｂを観察者に視認させて黒色表示を、白黒のドットでマトリックス表示している。なお、図４（ａ）、（ｂ）において、手前にある隔壁は省略している。
【００１９】
なお、ＩＣカード用のディスプレイとする情報表示用パネルを構成する各部材は、以下の仕様とすることが好ましい。
基板としては、少なくとも一方の基板はパネル外側から表示媒体を確認できる透明基板であり、可視光の透過率が高くかつ耐熱性の良い材料が好適である。もう一方の基板となる背面側基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の 有機高分子系基板や、ガラスシート、石英シート、絶縁膜で被膜した金属シート等を用い、表示面側にはこのうち透明なものを用いる。基板の厚みは、２〜３００μｍが好ましく、さらに５〜１５０μｍが好適であり、薄すぎると、強度、基板間の間隔均一性を保ちにくくなり、３００μｍより厚いと、ＩＣカードの規格値である０．７６ｍｍ厚以下の厚さの情報表示用パネルとする場合に不都合がある。
【００２０】
電極の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔（例えば圧延銅箔など）をラミネートする方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性や光透過性を鑑みて決定され、０．０１〜１０μｍ、好ましくは０．０５〜５μｍである。背面側基板に設ける電極の材質や厚みについては光透過性を鑑みる必要はない。
【００２１】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜２００μｍ、好ましくは１０〜１００μｍに調整される。基板間ギャップを確保するために配置する隔壁の高さは、確保したい基板間ギャップと合わせる。基板間空間をセルに仕切るために配置する隔壁の高さは、基板間ギャップと同じにしても、低くしてもよい。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
これらのリブからなる隔壁により形成されるセルは、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法も情報表示用パネルに好適に用いることができるが、これらのうち、レジストフィルムを用いるフォトリソ法や金型転写法が好適に用いられる。
【００２２】
情報表示用パネルにおける基板と基板との間隔は、表示媒体が駆動できて、コントラストを維持できればよいが、通常２〜５００μｍ、好ましくは５〜２００μｍに調整される。
情報表示用パネルを帯電粒子気体中空間移動方式とする場合は、基板と基板との間隔は１０〜１００μｍ、好ましくは１０〜５０μｍの範囲で調整される。さらに、基板間の気体中空間における表示媒体の体積占有率は５〜７０％が好ましく、さらに好ましくは５〜６０％である。７０％を超える場合には表示媒体としての粒子の移動に支障をきたし、５％未満の場合にはコントラストが不明確となり易い。
ＩＣカードに搭載するディスプレイは電源ＯＦＦとしても表示した情報が消えないで保持される方式のものが好ましく、上述した帯電粒子移動方式のものが好適である。
帯電性粒子を移動させて表示する方式には、この帯電性粒子を絶縁液体とともにマイクロカプセルに封止し、このマイクロカプセルを対向電極対間に配置したものもある。
また、帯電性粒子は平均粒子径が、０．５〜５０μｍの範囲であり、均一で揃っていることが好ましい。平均粒子径がこの範囲より大きいと表示上の鮮明さに欠け、この範囲より小さいと粒子同士の凝集力が大きくなりすぎるために表示媒体としての移動に支障をきたすようになる。
【産業上の利用可能性】
【００２３】
本発明のケースは、ディスプレイ付ＩＣカードを保護するとともにＩＣカードに電力を供給することができる。
【符号の説明】
【００２４】
１、２  基板
３Ｗ    白色表示媒体
３Ｗａ  白色負帯電性粒子
３Ｂ    黒色表示媒体
３Ｂａ  黒色正帯電性粒子
４      隔壁
５、６  電極
１１    ケース
１２    樹脂シート
１２Ｔ  樹脂シートの透明部分
１３    電池
１４    スペーサ
１５    接続端子
１６    操作ボタン
１７    端子
２０    ＩＣカード
２１    端子
２２    ディスプレイ
２３    操作ボタン
【図１】
2010277346.tif 000003
【図２】
2010277346.tif 000004
【図３】
2010277346.tif 000005
【図４】
2010277346.tif 000006